(57)【要約】【課題】耐環境性能の向上を図ること。【解決手段】ケース本体１０の前面開口１０ａを臨む収納室１１に上下方向に沿って複数段設けられた商品陳列部（３０，４０）と、収納室１１の内部と外部との間で空気を循環させる空気循環手段２０と、空気循環手段２０により循環させられる空気を冷却する蒸発器２５とを備えたショーケースにおいて、商品陳列棚３０の前端部との間に空気が通過する通過口５２を形成するガイド部材５０と、ガイド部材５０の下方側近傍に前後方向に沿って揺動可能に設けられ、後方に向けて揺動した場合には、下方の商品陳列部（３０，４０）の商品を陳列する領域Ｓの前方側を覆う一方、前方に向けて揺動した場合には、該商品陳列部に陳列された商品が前面開口１０ａを通じて取り出されることを許容する面材６０と、面材６０の後方に向けての揺動する速度を減速させるロータリダンパ５８とを備えている。【選択図】図１
2017131324.tif 000002
【特許請求の範囲】
【請求項１】
前面に開口が形成されたケース本体と、
前記ケース本体の内部の前記開口を臨む収納室に上下方向に沿って複数段設けられ、かつ収納対象となる商品を載置して陳列する商品陳列部と、
吸込口を通じて前記収納室の空気を吸い込み、かつ吹出口を通じて前記収納室に空気を吹き出す態様で、前記収納室の内部と外部との間で空気を循環させる空気循環手段と、
前記空気循環手段により循環させられる空気を所定の温度に調整する温度調整手段と
を備え、前記商品陳列部に陳列された商品を所望の温度状態に維持するショーケースにおいて、
前記商品陳列部の前端部より離隔して設けられ、かつ該前端部との間に前記吹出口から吹き出された空気が通過する通過口を形成するガイド部材と、
前記ガイド部材の下方側近傍に前後方向に沿って揺動可能に設けられ、後方に向けて揺動した場合には、前記商品陳列部の下方の商品陳列部の商品を陳列する領域の前方側を覆う一方、前方に向けて揺動した場合には、該下方の商品陳列部に陳列された商品が前記開口を通じて取り出されることを許容する面材と、
前記面材の後方に向けての揺動する速度を減速させるダンパ部材と
を備えたことを特徴とするショーケース。
【請求項２】
前記面材は、光透過性材料により構成されたことを特徴とする請求項１に記載のショーケース。
【発明の詳細な説明】
【技術分野】
【０００１】
本発明は、ショーケースに関し、より詳細には、収納対象となる商品を所望の温度状態に保持するショーケースに関するものである。
【背景技術】
【０００２】
従来、収納対象となる商品を所望の温度状態に保持するショーケースとして、次のようなものが知られている。前面に開口が形成されたケース本体の内部の収納室に、複数の商品陳列棚が上下方向に沿って複数段設けられており、それぞれの商品陳列棚に商品が載置されて陳列されている。また、ケース本体内であって収納室外となる個所には、吸込口を通じて吸い込んだ収納室内の空気の通路が形成されており、この空気通路には蒸発器が配設されている。該空気通路を通過する空気は、蒸発器で冷却され、その後に収納室の上部に設けられた吹出口より吹き出される。吹出口から吹き出された空気が吸込口に吸い込まれて循環することにより、商品陳列棚に陳列された商品が所望の温度に調整されて保持される。
【０００３】
このようなショーケースにおいては、各商品陳列棚に該商品陳列棚の前端部から離隔する状態で上下方向に延在するガイド部材が取り付けられ、吹出口から吹き出された空気が商品陳列棚の前端部とガイド部材との間を通過するようにしてエアカーテンを形成し、冷気漏れの低減化を図るようにしていた（例えば、特許文献１参照）。
【先行技術文献】
【特許文献】
【０００４】
【特許文献１】特開２０１０−２０７５６４号公報
【発明の概要】
【発明が解決しようとする課題】
【０００５】
ところで、近年、例えば鉄道の駅の改札口の中やホームにコンビニエンスストアが設置されている。かかるコンビニエンスストアでは、店舗事情等により、店舗の出入口の近傍にショーケースが設置されることがあり、しかも時間帯によっては出入口が常時開放状態となることで、結果的にショーケースが半屋内的に使用されることがある。
【０００６】
このようにショーケースが半屋内的に使用される環境下においては、上述した特許文献１に提案されているショーケースのように商品陳列棚とガイド部材との間でエアカーテンを形成するようにしても、出入口から侵入する外気によりエアカーテンが乱されてしまい、商品を所望の温度状態に保持することが困難となる場合があった。つまり、従来のショーケースでは、耐環境性能が不十分となることがあった。
【０００７】
本発明は、上記実情に鑑みて、耐環境性能の向上を図ることができるショーケースを提供することを目的とする。
【課題を解決するための手段】
【０００８】
上記目的を達成するために、本発明に係るショーケースは、前面に開口が形成されたケース本体と、前記ケース本体の内部の前記開口を臨む収納室に上下方向に沿って複数段設けられ、かつ収納対象となる商品を載置して陳列する商品陳列部と、吸込口を通じて前記収納室の空気を吸い込み、かつ吹出口を通じて前記収納室に空気を吹き出す態様で、前記収納室の内部と外部との間で空気を循環させる空気循環手段と、前記空気循環手段により循環させられる空気を所定の温度に調整する温度調整手段とを備え、前記商品陳列部に陳列された商品を所望の温度状態に維持するショーケースにおいて、前記商品陳列部の前端部より離隔して設けられ、かつ該前端部との間に前記吹出口から吹き出された空気が通過する通過口を形成するガイド部材と、前記ガイド部材の下方側近傍に前後方向に沿って揺動可能に設けられ、後方に向けて揺動した場合には、前記商品陳列部の下方の商品陳列部の商品を陳列する領域の前方側を覆う一方、前方に向けて揺動した場合には、該下方の商品陳列部に陳列された商品が前記開口を通じて取り出されることを許容する面材と、前記面材の後方に向けての揺動する速度を減速させるダンパ部材とを備えたことを特徴とする。
【０００９】
また本発明は、上記ショーケースにおいて、前記面材は、光透過性材料により構成されたことを特徴とする。
【発明の効果】
【００１０】
本発明によれば、商品陳列部の前端部より離隔して設けられたガイド部材が、前端部との間に吹出口から吹き出された空気が通過する通過口を形成するので、通過口を通過する空気によりエアカーテンが良好に形成され、収納室の商品を良好に所望の温度に調整することができる。しかも、ガイド部材の下方側近傍に前後方向に沿って揺動可能に設けられた面材が、後方に向けて揺動した場合には、商品陳列部の下方の商品陳列部の商品を陳列する領域の前方側を覆うので、当該ショーケースが半屋内的に使用される環境下においても、店舗等の出入口から侵入する外気によりエアカーテンが乱されてしまうことを抑制できる。従って、耐環境性能の向上を図ることができるという効果を奏する。
【００１１】
また本発明によれば、面材が前方に向けて揺動した場合、商品陳列部に陳列された商品を容易に取り出すことができるとともに、面材６０が後方に揺動する際にダンパ部材が揺動速度を減速させるので、利用者は、商品を取り出した後に、面材６０を前方に向けて僅かに揺動させる操作のみ行えばよく、操作性の向上を図ることができるという効果を奏する。
【図面の簡単な説明】
【００１２】
【図１】図１は、本発明の実施の形態であるショーケースの内部構造を模式的に示す断面側面図である。
【図２】図２は、図１に示した商品陳列棚を拡大して示す側面図である。
【図３】図３は、図１に示した商品陳列棚の斜視図である。
【図４】図４は、図１に示した商品陳列棚の縦断面図である。
【図５】図５は、図１に示した商品陳列棚を拡大して示す側面図である。
【図６】図６は、図１に示した商品陳列棚の縦断面図である。
【発明を実施するための形態】
【００１３】
以下に添付図面を参照して、本発明に係るショーケースの好適な実施の形態について詳細に説明する。
【００１４】
図１は、本発明の実施の形態であるショーケースの内部構造を模式的に示す断面側面図である。ここで例示するショーケースは、ケース本体１０を備えている。
【００１５】
ケース本体１０は、前面に開口（以下、前面開口ともいう）１０ａが形成された断熱筐体であり、その内部には収納室１１が画成されているとともに、空気循環手段２０が設けられている。
【００１６】
収納室１１は、上記前面開口１０ａを臨む態様で画成された室であり、その内部には複数の商品陳列部が上下方向に沿って複数段並ぶよう設けられている。商品陳列部の説明については後述する。
【００１７】
空気循環手段２０は、空気通路２１と循環ファン２２とを備えて構成されている。空気通路２１は、吸込口２１１から吹出口２１２に至る空気の通路である。吸込口２１１は、収納室１１の内部の空気を吸い込むための開口であり、収納室１１の左右方向に沿って延設されている。この吸込口２１１は、収納室１１の下側前方縁部、すなわちケース本体１０の前面開口１０ａの近傍の下部に配設されている。
【００１８】
吹出口２１２は、収納室１１の内部に空気を吹き出すための開口である。この吹出口２１２は、収納室１１の左右方向に延設されていて、収納室１１の上側前方縁部、すなわちケース本体１０の前面開口１０ａの近傍の上部に配設されている。
【００１９】
このような空気通路２１は、収納室１１外であってその下方にある下方ダクト２１ａと、収納室１１外であってその背面側にある背面ダクト２１ｂと、収納室１１外であってその上方にある上方ダクト２１ｃとを互いに連通した態様で構成されている。
【００２０】
循環ファン２２は、空気を循環させるものであり、下方ダクト２１ａの所定部位に配設されている。本実施の形態においては、循環ファン２２は下方ダクト２１ａの所定部位に配設されているが、本発明では、循環ファン２２の配設位置は特に限定されるものではなく、後述する循環ファン２２の機能を発揮することができる個所であればどこに配設しても構わない。
【００２１】
このような空気循環手段２０においては、循環ファン２２が駆動することにより吸込口２１１を通じて収納室１１の内部にある空気（内部空気）を吸い込み、吸い込んだ空気が空気通路２１を通過する態様で吹出口２１２まで送出し、吹出口２１２を通じて送出した空気を収納室１１の内部に吹き出すことにより、収納室１１の内部と外部との間で空気を循環させるものである。
【００２２】
上記空気通路２１には、蒸発器（温度調整手段）２５が設けられている。蒸発器２５は、図示せぬ圧縮機、凝縮器及び膨張機構とともに冷媒を循環させる冷媒循環手段を構成している。ここで圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２３】
蒸発器２５は、循環ファン２２が駆動することにより空気通路２１の背面ダクト２１ｂを下方から上方に向けて通過する空気と、膨張機構で断熱膨張させた冷媒とを熱交換させるもの、より詳細には、冷媒を蒸発させることにより背面ダクト２１ｂを通過する空気を冷却するものである。この蒸発器２５で蒸発した冷媒は、再び圧縮機に戻り圧縮されることになる。
【００２４】
上記商品陳列部は、複数（図示の例では４つ）の商品陳列棚３０と商品陳列デッキ４０とを備えている。
【００２５】
各商品陳列棚３０は、図２及び図３に示すように、収納室１１の後方側において左右一対となる態様で立設された図示せぬ棚柱に係止された左右一対のブラケット３１に、平板状の棚板３３がレール部材３２を介して架け渡されるよう支持されることで構成されている。つまり、各商品陳列棚３０は、ブラケット３１が棚柱に係止されることにより所定の高さレベルに配設されており、棚板３３の上面に商品を載置して商品を陳列するものである。
【００２６】
また、商品陳列棚３０を構成する棚板３３の下面に設けられた棚板ローラ支持部３３１には図示せぬ棚板ローラが回転可能に支持されており、この棚板ローラが上記レール部材３２に転動可能に載置されている。このレール部材３２には、ブラケット３１に回転可能に支持されたブラケットローラ（図示せず）が棚板ローラとは異なる個所で回転可能に載置されている。これにより、棚板３３は、棚板ローラ及びブラケットローラがレール部材３２を転動することで、ブラケット３１に対して前後方向に沿ってスライド可能なものである。
【００２７】
各商品陳列棚３０には、ガイド部材５０及び面材６０が設けられている。ガイド部材５０は、左右方向が長手方向となる長尺状部材である。このガイド部材５０は、左右両端部に設けられた左右一対のアーム部５１が商品陳列棚３０の前端部に取り付けられることで、該商品陳列棚３０の前端部から離隔した態様で設けられている。かかるガイド部材５０は、商品陳列棚３０の前端部との間に通過口５２を形成している。尚、通過口５２には、ガイド部材５０と、アーム部５１の後端部同士を連結する連結部材５３との間に架設された複数の仕切部５４が左右方向に所定間隔毎に設けられている。
【００２８】
面材６０は、例えばアクリル樹脂やガラス等の透光性材料から形成された透明体である。この面材６０は、商品陳列棚３０の左右方向の略全域に亘って延在する、左右方向が長手方向となる長尺状の矩形板状部材であり、その頂部には他の部材との干渉を避けるために切欠６１が形成されている。このような面材６０は、次のようにして各商品陳列棚３０に設けられている。
【００２９】
上述したアーム部５１には、それぞれ左右一対となる側板部５５が取り付けられている。すなわち、左方側のアーム部５１の左端には左側の側板部５５が取り付けられており、右方側のアーム部５１の右端には右側の側板部５５が取り付けられている。
【００３０】
このような側板部５５においては、図４に示すように、ガイド部材５０の下方側となる互いに対向する部分に軸部５６が設けられている。軸部５６は、中心軸が左右方向に沿って延在する円柱状部材であり、中心軸回りに回転可能なものである。つまり、左側の側板部５５に設けられた軸部５６の中心軸と、右側の側板部５５に設けられた軸部５６の中心軸は一致している。
【００３１】
これら軸部５６の内方端部には、固定金部材５７が装着されている。固定金部材５７は、それぞれ軸部５６の径外方向に沿って延在するものであり、その延在端部にて面材６０の上部（基端部６２）の両端部を固定している。つまり、左側の側板部５５に設けられた軸部５６の右端部に装着された固定金部材５７は、面材６０の基端部６２の左端部を固定する一方、右側の側板部５５に設けられた軸部５６の左端部に装着された固定金部材５７は、面材６０の基端部６２の右端部を固定している。
【００３２】
これにより、面材６０は、ガイド部材５０の下方側近傍において、軸部５６の中心軸回りに前後方向に沿って下部（先端部６３）が揺動可能に設けられている。
【００３３】
そして、面材６０は、常態においては、自身の自重により先端部６３が当該商品陳列棚３０の直下の商品陳列棚３０に設けられたガイド部材５０に接した待機姿勢となる（図４参照）。尚、上から４段目の商品陳列棚３０に設けられた面材６０は、常態においては、自身の自重により、商品陳列デッキ４０の前方域であって吸込口２１１の上方側近傍に先端部６３が配置された待機姿勢となる。つまり、面材６０は、後方に向けて揺動した場合には、当該商品陳列棚３０の直下の商品陳列部（商品陳列棚３０又は商品陳列デッキ４０）の商品を陳列する領域Ｓの前方側を覆うものである。
【００３４】
その一方、面材６０は、前方に向けて揺動した場合には、図５及び図６に示すように、先端部６３が基端部６２の上方側後方部に位置する開放姿勢、すなわち上方に向かうに連れて漸次後方に傾斜した開放姿勢となる。面材６０は、このような開放姿勢となる場合、外力が与えられない限り、該開放姿勢を維持する。尚、上から２〜４段目の商品陳列棚３０に設けられた面材６０は、開放姿勢となる場合、当該商品陳列棚３０の直上の商品陳列棚３０に設けられて待機姿勢となる面材６０の前方側に位置することとなる。
【００３５】
そして、面材６０は、このような前方側に向けて揺動することにより、開放姿勢となって、当該商品陳列棚３０の直下の商品陳列部（商品陳列棚３０及び商品陳列デッキ４０）に陳列された商品が前面開口１０ａを通じて取り出されることを許容するものである。
【００３６】
ところで、上記軸部５６のそれぞれの外方端部には、ロータリダンパ（ダンパ部材）５８が設けられている。このロータリダンパ５８は、面材６０が後方に揺動する際の軸部５６の回転速度を減速させるものである。つまり、ロータリダンパ５８は、面材６０の後方に向けての揺動する速度を減速させるものである。
【００３７】
以上のような構成によるショーケースにおいては、循環ファン２２及び圧縮機が駆動することにより、収納室１１の内部の空気は、吸込口２１１を通じて吸い込まれ、下方ダクト２１ａを通過し、背面ダクト２１ｂに進入して蒸発器２５で冷却され、冷気となって上方ダクト２１ｃを通過し、吹出口２１２より吹き出される。
【００３８】
吹出口２１２から吹き出された空気の大部分は、各商品陳列棚３０の前端部とガイド部材５０とにより形成された通過口５２を通過して吸込口２１１に吸い込まれることでエアカーテンを形成する。このエアカーテンにより区切られる収納室１１の商品、すなわち商品陳列部（商品陳列棚３０及び商品陳列デッキ４０）に載置された商品が所望の温度に冷却される。
【００３９】
また、吹出口２１２から吹き出された空気の一部は、各商品陳列棚３０に設けられた待機姿勢の面材６０の前方側を該面材６０の延在方向（上下方向）に沿って通過した後に吸込口２１１に吸い込まれる。つまり、商品陳列部（商品陳列棚３０及び商品陳列デッキ４０）に設けられた面材６０は、待機姿勢となる場合に、自身の前面側に吹出口２１２から吹き出された空気を通過させるものである。尚、待機姿勢の面材６０の前方側を通過する空気は、一部が前面開口１０ａを通じて外部にも排出されてもよい。
【００４０】
このように本実施の形態であるショーケースによれば、商品陳列棚３０（商品陳列部）に設けられたガイド部材５０が、該商品陳列棚３０との間に吹出口２１２から吹き出された空気を通過する通過口５２を形成するので、これら通過口５２を通過する空気によりエアカーテンが良好に形成され、収納室１１の商品を良好に所望の温度に調整することができる。しかも、ガイド部材５０の下方側近傍に設けられた面材６０が、待機姿勢となる場合に、直下の商品陳列部（商品陳列棚３０及び商品陳列デッキ４０）の商品を載置する領域Ｓの前方側を覆うので、当該ショーケースが半屋内的に使用される環境下においても、店舗等の出入口から侵入する外気によりエアカーテンが乱されてしまうことを抑制できる。従って、耐環境性能の向上を図ることができる。
【００４１】
特に、面材６０が前方に向けて揺動して開放姿勢となる場合、商品陳列部に陳列された商品を容易に取り出すことができるとともに、開放姿勢から面材６０が後方に揺動する際にロータリダンパ５８が揺動速度を減速させるので、利用者は、商品を取り出した後に、面材６０を開放姿勢から前方に向けて僅かに揺動させる操作のみ行えばよく、操作性の向上を図ることができる。
【００４２】
また、面材６０は開放姿勢となる場合にその姿勢を維持するので、利用者が面材６０を開放姿勢にすることにより商品陳列部に陳列された商品を容易に取り出すことができるとともに、作業者が面材６０を開放姿勢にすることにより商品陳列部に商品を補充する作業を簡易に行うことができる。
【００４３】
上記ショーケースによれば、商品陳列部（商品陳列棚３０及び商品陳列デッキ４０）に面材６０を開閉移動可能に取り付けるだけなので、既に市場に出回っているショーケースにも適用することができ、汎用性に優れたものとすることができる。
【００４４】
上記ショーケースによれば、商品陳列部（商品陳列棚３０及び商品陳列デッキ４０）に設けられた面材６０は、待機姿勢となる場合に、自身の前面側に吹出口２１２から吹き出された空気を通過させるので、面材６０に結露等が生じてしまうことを抑制することができる。
【００４５】
上記ショーケースによれば、商品陳列部（商品陳列棚３０及び商品陳列デッキ４０）に取り付けられた面材６０は、透明体により構成されているので、該面材６０が待機姿勢にある場合に、商品陳列部（商品陳列棚３０及び商品陳列デッキ４０）に載置されている商品の視認性を確保することができる。
【００４６】
以上、本発明の好適な実施の形態について説明したが、本発明はこれに限定されるものではなく、種々の変更を行うことができる。
【００４７】
上述した実施の形態では、面材６０は、商品陳列棚３０の左右方向の略全域に亘って延在するものであったが、本発明においては、面材は１つの商品陳列棚に複数取り付けられていてもよく、個々の左右方向の長さは、商品陳列部（商品陳列棚及び商品載置デッキ）に載置される商品の列の左右幅に等しいものであってもよい。
【００４８】
上述した実施の形態では、面材６０は、待機姿勢となる場合、先端部６３が直下の商品陳列棚３０のガイド部材５０に接していたが、本発明においては、面材は、先端部がガイド部材に接する必要はない。
【００４９】
上述した実施の形態では、蒸発器２５を温度調整手段の一例として説明したが、本発明においては、空気循環手段２０により循環させられる空気を加熱する加熱手段が温度調整手段を構成してもよい。
【符号の説明】
【００５０】
１０  ケース本体
１０ａ  前面開口
１１  収納室
２０  空気循環手段
２１  空気通路
２１１  吸込口
２１２  吹出口
２２  循環ファン
２５  蒸発器
３０  商品陳列棚
３３  棚板
５０  ガイド部材
５２  通過口
５８  ロータリダンパ
６０  面材
Ｓ  領域
【図１】
2017131324.tif 000003
【図２】
2017131324.tif 000004
【図３】
2017131324.tif 000005
【図４】
2017131324.tif 000006
【図５】
2017131324.tif 000007
【図６】
2017131324.tif 000008